(57)【要約】【課題】本発明は、除菌、脱臭性能を高めることができる空気浄化装置を提供することを目的とする。【解決手段】空気を送風する送風手段４を備え、水を貯水するトレイ６と、トレイ６内で水を電解水へ生成する電解ユニット８と、中空円筒状にして回転可能に形成し電解水に一部が浸漬するように配置したフィルター部９を有し、フィルター部９の周辺にトレイ６内の水を掬うように配置された水散布手段１２を備え、水散布手段１２で掬われた水がフィルター部９の周辺に散布され、フィルター部９が駆動部１１により回転するものである。【選択図】図３
2016059667.tif 000002
【特許請求の範囲】
【請求項１】
吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬するように配置したフィルター部とを有し、前記フィルター部の周辺に前記トレイ内の水を掬うように配置された水散布手段を備え、前記水散布手段で掬われた水が前記フィルター部の周辺に散布され、前記フィルター部が回転することを特徴とする空気浄化装置。
【発明の詳細な説明】
【技術分野】
【０００１】
本発明は、水に通電することにより得られる電解水を用いて、空気中の細菌、真菌、ウイルス、臭いなどの除去を行う空気浄化装置に関するものである。
【背景技術】
【０００２】
従来のこの種の空気浄化装置の構造は、以下のようになっていた。
【０００３】
すなわち、水を電気分解して電解水を生成させ、この電解水をフィルター部に供給し、空気と電解水を接触させ、空気中に細菌、ウイルス、臭気等の除去を図る構成となっていた（例えば下記特許文献１）。
【先行技術文献】
【特許文献】
【０００４】
【特許文献１】特開２０１２−０５２６９９号公報
【発明の概要】
【発明が解決しようとする課題】
【０００５】
この種の電解水を室内空気に接触させて、細菌、ウイルス、臭気などの除去を行う空気浄化装置においては、除菌脱臭効果を高めることが求められる。
【０００６】
そこで、本発明は上記課題を解決するものであり、除菌、脱臭性能を高めることができる空気浄化装置を提供することを目的としている。
【課題を解決するための手段】
【０００７】
そして、この目的を達成するために本発明は、吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬するように配置したフィルター部とを有し、前記フィルター部の周辺に前記トレイ内の水をすくうように配置された水散布手段を備え、前記水散布手段で掬われた水が前記フィルター部の周辺に散布され、前記フィルター部が回転するものである。そして、これら手段により、初期の目的を達成するものである。
【発明の効果】
【０００８】
以上のように本発明は、フィルター部の周辺にある水散布手段により、トレイに貯水された電解水が空気中に散布されることで、フィルター上での接触に加えて、細菌、ウイルス、臭気などを含む室内空気と電解水の接触する頻度を高め、電解水に細菌、ウイルス、臭気を取り込み、脱臭、除菌効果を向上できる。
【図面の簡単な説明】
【０００９】
【図１】本発明の実施の形態１の空気浄化装置の概略図
【図２】同空気浄化装置の概略断面を示す図
【図３】同空気浄化装置のフィルター部の概略構成を示す図
【図４】同フィルター部周辺の水散布の状況を示す図
【図５】同フィルター部の詳細を示す斜視図
【発明を実施するための形態】
【００１０】
本発明の請求項１記載の空気浄化装置は、吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬するように配置したフィルター部とを有し、前記フィルター部の周辺に前記トレイ内の水を掬うように配置された水散布手段を備え、前記水散布手段で掬われた水が前記フィルター部の周辺に散布され、前記フィルター部が回転することを特徴とする。
【００１１】
これにより、フィルター部の周辺にある水散布手段によりトレイに貯水された電解水が容器の中にすくわれて、容器の一部にある複数個の穴から電解水が空気中に散布されることで、フィルター上での接触に加え、空気と電解水が接触する頻度が増えることで電解水に細菌、ウイルス、臭気を取り込み、脱臭、除菌効果を向上できる効果を奏する。
【００１２】
以下、本発明の実施の形態について図面を参照しながら説明する。
【００１３】
（実施の形態１）
図１に示すように、本実施の形態の空気浄化装置においては、略箱形状の本体ケース１を備えている。本体ケース１の両側面には、略四角形状の吸気口２を設け、また本体ケース１の天面には、略四角形状の吹出口３を設けている。
【００１４】
図２に示すように、この本体ケース１内には、送風手段４と空気浄化手段５を備えている。
【００１５】
送風手段４は、本体ケース１の上部に設けられ、モータとモータにより回転する羽根車とそれらを囲むケースとから構成されるいわゆるシロッコファンとして形成されている。
【００１６】
空気浄化手段５は、水を貯水するトレイ６と、トレイ６に水を供給する給水タンク７と、トレイ６内の水で電解水を生成する電解ユニット８と、トレイ６内の電解水に一部を浸漬したフィルター部９とから形成されている。
【００１７】
トレイ６は、天面を開口した箱形状をしており、水を貯水できる構造となっており、本体ケース１の下部に配置され、本体ケース１から水平方向にスライドして着脱可能となっている。
【００１８】
給水タンク７は本体ケース１内部の正面側に、トレイ６に内蔵される形で設置され、トレイ６から着脱可能な構造となっている。
【００１９】
給水タンク７はキャップにより密閉できる構造となっているが、トレイ６に給水タンク７を設置すると、キャップに設けられた水栓が解放され、水がトレイ６に供給される構造となっている。水面が水栓まで上昇してくると、水面により給水タンク７が密閉され、水の供給が停止し、常に一定量の水を供給することができる。
【００２０】
電解ユニット８は、複数枚の電極板で構成されており、この電極板がトレイ６内の水に浸かるように設置され、これらの電極に通電することによりトレイ６内の塩化物イオンを含む水を電気化学的に電気分解することにより、電解水を生成させる。塩化物イオンを含む水は、例えば、水道水に塩化ナトリウムを溶解させた水を用いることができる。
【００２１】
フィルター部９は、トレイ６において電解ユニット８により生成された電解水と、送風手段４によって本体ケース１内に吸込まれた室内空気とを接触させる部材である。中空円筒状に構成され、円筒部分に空気が流通可能な孔を備えており、その円筒の一部がトレイ６の電解水に浸漬するように、トレイ６に回転自在に内蔵されている。
【００２２】
そして、図３に示すように、駆動部１１による回転がされ、電解水と室内空気を連続的に接触させる構造となっている。
【００２３】
水散布手段１２はフィルター部９の外周周辺から距離を置いて（フィルター部９に接しないよう）に設けられ、駆動部１１と連結されており、変位可能な構造になっている。すなわち、フィルター部９の外周でフィルター部９と共に回転する構造としている。また、水散布手段１２は、回転の先頭側は、トレイ６の水を掬うように大きく開口した樋状の容器であって、この先頭側よりも後端側の外側面には、散水用として穴１３を複数個設けている。
【００２４】
また、フィルター部９の回転方向は、水散布手段１２が風上側でトレイ６の水を掬い上げるようにしている。つまり、水面上では、風上から風下へ向けて回転するようにしている。
【００２５】
なお、フィルター部９を構成する材料としては、電解水に反応性の少ない材料、即ち、電解水による劣化が少ない材料、例えばポリオレフィン系樹脂（ポリエチレン樹脂、ポリプロピレン樹脂等）、ＰＥＴ（ポリエチレン・テレフタラート樹脂）、塩化ビニル樹脂、フッ素系樹脂（ＰＴＦＥ、ＰＦＡ、ＥＴＦＥ等）、セルロース系材料又はセラミック系材料等が使用され、本実施例では、ポリエステルが採用される。
【００２６】
以上の構成において、空気浄化装置の動作を説明する。
【００２７】
給水タンク７により水道水がトレイ６に供給される。このときユーザーにより、塩化ナトリウムが同時にトレイ６に投入される。塩化物イオンを含んだ水に対して、電解ユニット８により通電され、電気分解して、活性酸素種を含む電解水を生成する。
【００２８】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００２９】
フィルター部９は一回転することによりフィルター部９全周を電解水に浸漬させることができる。送風手段４が空気流路に吸気口２から室内空気を送風することにより、本体ケース１内に吸込まれて空気浄化手段を通過する室内空気は電解水と接触することになる。室内空気とともに本体ケース１内に吸込まれる、空気中の細菌、真菌（カビ）、ウイルス、臭い成分などは、フィルター部９上で、電解水と接触することにより、分解、不活化などがなされ、浄化された空気が、吹出口３から室内に供給されることになる。
【００３０】
また図４、図５に示すように、フィルター部９の周辺にある水散布手段１２は駆動部１１によるフィルター部９の回転に伴い回転し、トレイ６に貯水された電解水をすくい上げ、水散布手段１２に設けられた穴１３から、電解水が空気中へ散布される。
【００３１】
そのためフィルター部９上での空気と電解水が接触することに加え、空気中に散布された電解水上での、空気と電解水の接触頻度を高め、電解水に細菌、ウイルス、臭気を取り込み、脱臭、除菌効果を向上できる。
【００３２】
水散布手段１２は本実施例において一つ図示しているが、複数個あっても同様の効果を得ることが出来る。
【００３３】
また、駆動部１１と同時に回転するとしたが、水散布手段１２は電解水を汲み上げ、水を散布した後降下し水中に戻る仕組みであっても同様の効果を得ることが出来る。
【００３４】
また、フィルター部９の回転方向が空気流路の下流側から電解水の中に入り、空気流路の上流側に移動する方向とし、水の散布をその上流側で行う構成とすることが好ましい。このような構成により、吸い込まれた室内空気がまず、電解水を多く含んだフィルター部に導入することにより、室内空気と電解水の接触効率を高め、室内空気に含まれる細菌、ウイルス、臭気などをより効率的に電解水に接触させることにより、細菌、ウイルス、臭気などに対する電解水の除去効果を高めることができる。そして、空気流路の下流側で、水をあまり含まないフィルター部９を接触することになり、この位置では、比較的水分を多く含んだ空気と、比較的水分を含まないフィルター部９が接触することになり、加湿効率は下がることになる。これにより、除菌効果は向上させながら、加湿性能を抑制することができる。
【００３５】
以上のように、本実施例によれば、除菌、脱臭性能を高めることができる空気浄化装置を簡単な構成で提供することができる。
【産業上の利用可能性】
【００３６】
家庭用や事務用、公共空間などの、除菌・脱臭などの空気浄化装置としての活用が期待されるものである。
【符号の説明】
【００３７】
１        本体ケース
２        吸気口
３        吹出口
４        送風手段
５        空気浄化手段
６        トレイ
７        給水タンク
８        電解ユニット
９        フィルター部
１１      駆動部
１２      水散布手段
１３      穴
【図１】
2016059667.tif 000003
【図２】
2016059667.tif 000004
【図３】
2016059667.tif 000005
【図４】
2016059667.tif 000006
【図５】
2016059667.tif 000007